(57)【特許請求の範囲】
【請求項１】
ローカルエリアネットワークおよびインターネット上でのデータのやりとりの機能と、デジタル公衆網を介して行うファクシミリ伝送手順によるファクシミリデータのやりとりの機能を備えた複数のネットワークファクシミリ装置と、このネットワークファクシミリ装置へデジタル公衆網を介して中継送信依頼する１つ以上のファクシミリ装置からなるネットワークファクシミリ通信システムの制御方法において、
ファクシミリ装置は、デジタル公衆網を介して第１のネットワークファクシミリ装置へ中継依頼送信の発呼をするとき、呼設定メッセージの所定の情報要素を用いて、中継局となる第２のネットワークファクシミリ装置のアドレス情報と、最終宛先となる他のファクシミリ装置の発呼情報を通知した後に、所定の伝送手順に従って画情報を送信し、
上記第１のネットワークファクシミリ装置は、いずれかのファクシミリ装置よりデジタル公衆網を介して発呼されると、受信した呼設定メッセージの所定の情報要素から、中継局となる第２のネットワークファクシミリ装置のアドレス情報と、最終宛先となる他のファクシミリ装置の発呼情報を抽出した後に、所定の伝送手順に従って画情報を受信して蓄積し、次いで、上記抽出したアドレス情報を用い、インターネットを介し、上記蓄積した画情報を最終宛先へ転送する要求を上記第２のネットワークファクシミリ装置へ通信し、
上記第２のネットワークファクシミリ装置は、上記第１のネットワークファクシミリ装置より、インターネットを介し、画情報を最終宛先へ転送する要求の通信を受けると、デジタル伝送網を用いて指定された最終宛先へ発呼し、そのときに受信した画情報をその最終宛先の上記他のファクシミリ装置へ送信することを特徴とするネットワークファクシミリ通信システムの制御方法。
【請求項２】
前記所定の情報要素は、ユーザユーザ情報であることを特徴とする請求項１記載のネットワークファクシミリ通信システムの制御方法。
【請求項３】
前記所定の情報要素は、着サブアドレスであることを特徴とする請求項１記載のネットワークファクシミリ通信システムの制御方法。
【請求項４】
前記第１のネットワークファクシミリ装置は、着呼検出時に受信した呼設定メッセージの所定の情報要素に含まれる前記アドレス情報と、前記他のファクシミリ装置の発呼情報の内容が所定の有効範囲のものであるか否かを検査し、その検査結果をあらわす情報を、呼制御手順中に相手端末へ応答する呼制御信号の所定の情報要素を用いて、発呼側へ通知することを特徴とする請求項１または請求項２または請求項３記載のネットワークファクシミリ通信システムの制御方法。
【請求項５】
前記第１のネットワークファクシミリ装置は、着呼検出時に受信した呼設定メッセージの所定の情報要素に含まれる前記アドレス情報と、前記他のファクシミリ装置の発呼情報の内容が所定の有効範囲のものであるか否かを検査し、その検査結果をあらわす情報を、呼制御手順中に相手端末へ応答する呼制御信号の所定の情報要素を用いて、発呼側へ通知する一方、その検査により有効範囲外であると判定された場合には、中継依頼送信の受付を拒否することを特徴とする請求項１または請求項２または請求項３記載のネットワークファクシミリ通信システムの制御方法。
【請求項６】
前記応答する呼制御信号は、切断信号または解放信号であることを特徴とする請求項４または請求項５記載のネットワークファクシミリ通信システムの制御方法。
【請求項７】
前記応答する呼制御信号は、応答信号であることを特徴とする請求項４または請求項５記載のネットワークファクシミリ通信システムの制御方法。
【発明の詳細な説明】
【０００１】
【発明の属する技術分野】
本発明は、ローカルエリアネットワークおよびインターネット上でのデータのやりとりの機能と、デジタル公衆網を介して行うファクシミリ伝送手順によるファクシミリデータのやりとりの機能を備えた複数のネットワークファクシミリ装置と、このネットワークファクシミリ装置へデジタル公衆網を介して中継送信依頼する１つ以上のファクシミリ装置からなるネットワークファクシミリ通信システムの制御方法に関する。
【０００２】
【従来の技術】
近年、ローカルエリアネットワークおよびインターネット上でのデータのやりとりの機能と、公衆網を介して行うファクシミリ伝送手順によるファクシミリデータのやりとりの機能を備えた複数のネットワークファクシミリ装置と、このネットワークファクシミリ装置へ公衆網を介して中継送信依頼する１つ以上のファクシミリ装置からなるネットワークファクシミリ通信システムが実用されている。
【０００３】
このようなネットワークファクシミリ通信システムを利用すると、画情報を中継するインターネット上のネットワークファクシミリ装置間の通信費用は、追加の費用が加算されないため、遠隔地間におけるファクシミリ通信に要する通信コストを大幅に低減できるようなる。
【０００４】
【発明が解決しようとする課題】
ところで、このようなネットワークファクシミリ通信システムでは、公衆網に接続されたファクシミリ装置から、中継送信依頼を受け付けるネットワークファクシミリ装置に対して、中継局となる他のネットワークファクシミリ装置のアドレス情報と、最終宛先となるファクシミリ装置の電話番号等を通知するための工夫が必要となる。
【０００５】
本発明は、かかる実情に鑑みてなされたものであり、公衆網に接続されたファクシミリ装置から、中継送信依頼を受け付けるネットワークファクシミリ装置に対して、中継局となる他のネットワークファクシミリ装置のアドレス情報と、最終宛先となるファクシミリ装置の電話番号等を適切に通知することのできるネットワークファクシミリ通信システムの制御方法を提供することを目的としている。
【０００６】
【課題を解決するための手段】
本発明は、ローカルエリアネットワークおよびインターネット上でのデータのやりとりの機能と、デジタル公衆網を介して行うファクシミリ伝送手順によるファクシミリデータのやりとりの機能を備えた複数のネットワークファクシミリ装置と、このネットワークファクシミリ装置へデジタル公衆網を介して中継送信依頼する１つ以上のファクシミリ装置からなるネットワークファクシミリ通信システムの制御方法において、ファクシミリ装置は、デジタル公衆網を介して第１のネットワークファクシミリ装置へ中継依頼送信の発呼をするとき、呼設定メッセージの所定の情報要素を用いて、中継局となる第２のネットワークファクシミリ装置のアドレス情報と、最終宛先となる他のファクシミリ装置の発呼情報を通知した後に、所定の伝送手順に従って画情報を送信し、上記第１のネットワークファクシミリ装置は、いずれかのファクシミリ装置よりデジタル公衆網を介して発呼されると、受信した呼設定メッセージの所定の情報要素から、中継局となる第２のネットワークファクシミリ装置のアドレス情報と、最終宛先となる他のファクシミリ装置の発呼情報を抽出した後に、所定の伝送手順に従って画情報を受信して蓄積し、次いで、上記抽出したアドレス情報を用い、インターネットを介し、上記蓄積した画情報を最終宛先へ転送する要求を上記第２のネットワークファクシミリ装置へ通信し、上記第２のネットワークファクシミリ装置は、上記第１のネットワークファクシミリ装置より、インターネットを介し、画情報を最終宛先へ転送する要求の通信を受けると、デジタル伝送網を用いて指定された最終宛先へ発呼し、そのときに受信した画情報をその最終宛先の上記他のファクシミリ装置へ送信するようにしたものである。
【０００７】
また、前記所定の情報要素は、ユーザユーザ情報を適用できる。また、前記所定の情報要素は、着サブアドレスを適用できる。
【０００８】
また、前記第１のネットワークファクシミリ装置は、着呼検出時に受信した呼設定メッセージの所定の情報要素に含まれる前記アドレス情報と、前記他のファクシミリ装置の発呼情報の内容が所定の有効範囲のものであるか否かを検査し、その検査結果をあらわす情報を、呼制御手順中に相手端末へ応答する呼制御信号の所定の情報要素を用いて、発呼側へ通知するようにしたものである。
【０００９】
また、前記第１のネットワークファクシミリ装置は、着呼検出時に受信した呼設定メッセージの所定の情報要素に含まれる前記アドレス情報と、前記他のファクシミリ装置の発呼情報の内容が所定の有効範囲のものであるか否かを検査し、その検査結果をあらわす情報を、呼制御手順中に相手端末へ応答する呼制御信号の所定の情報要素を用いて、発呼側へ通知する一方、その検査により有効範囲外であると判定された場合には、中継依頼送信の受付を拒否するようにしたものである。
【００１０】
また、前記応答する呼制御信号は、切断信号または解放信号を適用できる。また、前記応答する呼制御信号は、応答信号を適用できる。
【００１１】
【発明の実施の形態】
以下、添付図面を参照しながら、本発明の実施の形態を詳細に説明する。
【００１２】
図１は、本発明の一実施例にかかる通信システムを示している。なお、本発明においては、インターネットを利用するアプリケーションとして電子メールを主として取り上げるので、以下の説明においては、電子メール以外のアプリケーションについては省略している。
【００１３】
この通信システムは、主として、ローカルエリアネットワークＬＡＮ１を中心とするドメインＤＭ１と、ローカルエリアネットワークＬＡＮ２を中心とするドメインＤＭ２から構成されている。また、ファクシミリ装置ＦＸ１は、ドメインＤＭ１と同一地域内に設置されデジタル公衆網ＩＳＤＮを伝送路として用いるグループ４ファクシミリ装置であり、ファクシミリ装置ＦＸ２は、ドメインＤＭ２と同一地域内に設置されデジタル公衆網ＩＳＤＮを伝送路として用いるグループ４ファクシミリ装置である。
【００１４】
また、それぞれのドメインＤＭ１，ＤＭ２は、ルータＲＴ１，ＲＴ２を介して、インターネットＩＮＥＴのサービスプロバイダ（網接続業者；図示略）に専用線接続されている。
【００１５】
ここで、ドメインＤＭ１，ＤＭ２には、割り当てを受けたネットワークアドレスに所定値のネットマスクを適用して分割した固有のネットワークアドレスが設定されており、それにより、ドメインＤＭ１，ＤＭ２の相互間で、ルータＲＴ１，ＲＴ２およびインターネットＩＮＥＴを介したデータ伝送を行うことができる。
【００１６】
また、ドメインＤＭ１には、ローカルエリアネットワークＬＡＮ１に接続されているクライアント端末ＣＬ１，ＣＬ２およびネットワークファクシミリ装置ＦＩ１に電子メールサービスを提供するためのメールサーバ端末ＳＶ１が設けられている。また、例えば、おのおののクライアント端末ＣＬ１，ＣＬ２、ネットワークファクシミリ装置ＦＩ１、および、メールサーバ端末ＳＶ１には、それぞれドメインＤＭ１のネットワークアドレスに固有のアドレスを連結してなる固有のホストアドレスが設定されており、このドメインＤＭ１を使用するユーザは、固有のユーザ名に、いずれかのクライアント端末ＣＬ１，ＣＬ２のホストアドレスを連結してなるユーザアドレスが設定される。
【００１７】
同様に、ドメインＤＭ２には、ローカルエリアネットワークＬＡＮ２に接続されているクライアント端末ＣＬ３，ＣＬ４およびネットワークファクシミリ装置ＦＩ２に電子メールサービスを提供するためのメールサーバ端末ＳＶ２が設けられている。また、例えば、おのおののクライアント端末ＣＬ３，ＣＬ４、ネットワークファクシミリ装置ＦＩ２、および、メールサーバ端末ＳＶ２には、それぞれドメインＤＭ２のネットワークアドレスに固有のアドレスを連結してなる固有のホストアドレスが設定されており、このドメインＤＭ２を使用するユーザは、固有のユーザ名に、いずれかのクライアント端末ＣＬ３，ＣＬ４のホストアドレスを連結してなるユーザアドレスが設定される。
【００１８】
また、インターネットファクシミリＦＩ１，ＦＩ２は、ローカルエリアネットワークＬＡＮ１，ＬＡＮ２に接続して、画情報を電子メールとしてやりとりするための伝送機能と、デジタル公衆網ＩＳＤＮに接続し、このデジタル公衆網ＩＳＤＮを伝送路として用いてグループ４ファクシミリ伝送手順による画情報伝送を行う伝送機能を備えている。
【００１９】
基本的には、ローカルエリアネットワークＬＡＮ１，ＬＡＮ２に接続されている端末相互間でのデータのやりとり、および、インターネットＩＮＥＴを介して行うデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００２０】
また、本実施例では、電子メールは、メールサーバ端末ＳＶ１，ＳＶ２にいったん蓄積された後に宛先へと配信される蓄積配信型の伝送形態で送信される。このとき、電子メールに付されている宛先アドレス（後述）の値が、それぞれのドメインＤＭ１，ＤＭ２に設定されているネットワークアドレスを含む場合には、その電子メールは、対応するメールサーバ端末ＳＶ１，ＳＶ２にそのまま蓄積され、また、電子メールに付されている宛先アドレスの値が、それぞれのドメインＤＭ１，ＤＭ２に設定されているネットワークアドレス以外の値を含む場合には、その電子メールは、ルータＲＴ１，ＲＴ２を介して、インターネットＩＮＥＴに送り出され、インターネットＩＮＥＴのデータ転送機能により、その宛先アドレスの値に対応したネットワークアドレスを持つ適宜なドメインあるいはホストなどに送信される。
【００２１】
したがって、例えば、ドメインＤＭ１の各ユーザからドメインＤＭ２の各ユーザへの電子メールは、メールサーバ端末ＳＶ１にいったん蓄積され、このメールサーバ端末ＳＶ１に蓄積された電子メールは、ルータＲＴ１を介してインターネットＩＮＥＴに送り出され、インターネットＩＮＥＴを介して相手側のドメインＤＭ２のメールサーバ端末ＳＶ２に送信されて蓄積される。
【００２２】
一方、各端末（クライアント端末およびネットワークファクシミリ装置）は、適宜な周期でメールサーバ端末ＳＶ１，ＳＶ２に対して、自端末のユーザ宛の電子メール受信の問い合わせを行い、ユーザ宛の電子メールがメールサーバ端末ＳＶ１，ＳＶ２に蓄積されているときには、メールサーバ端末ＳＶ１，ＳＶ２よりその電子メールを受信して、自端末ユーザにその旨を通知する。ただし、この場合、ネットワークファクシミリ装置については、自端末に設定されている電子メールアドレスをユーザアドレスとして取り扱う。
【００２３】
ここで、各端末がメールサーバ端末ＳＶ１，ＳＶ２に対して、ユーザ宛の電子メールの受信確認のために適用するプロトコルは、いわゆるＰＯＰ（Ｐｏｓｔ  Ｏｆｆｉｃｅ  Ｐｒｏｔｏｃｏｌ）などが適用される。
【００２４】
また、ＴＣＰ／ＩＰ，ＳＭＴＰ，ＰＯＰなどの通信プロトコル、および、電子メールのデータ形式やデータ構造などについては、それぞれＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ）などでそれぞれ規定されている。
【００２５】
図２は、ネットワークファクシミリ装置ＦＩ１，ＦＩ２の構成例を示している。
【００２６】
同図において、システム制御部１は、このネットワークファクシミリ装置の各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置に固有な各種の情報を記憶するためのものであり、時計回路４は、現在時刻情報を出力するものである。
【００２７】
スキャナ５は、所定の解像度で原稿画像を読み取るためのものであり、プロッタ６は、所定の解像度で画像を記録出力するためのものであり、操作表示部７は、このネットワークファクシミリ装置を操作するためのもので、各種の操作キー、および、各種の表示器からなる。
【００２８】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２９】
ＩＳＤＮインターフェース回路１０は、このネットワークファクシミリ装置をデジタル公衆網ＩＳＤＮへ接続するためのものであり、ＩＳＤＮ伝送制御部１１は、ＩＳＤＮとの間の呼制御手順や信号チャネルおよび情報チャネルの下位レイヤの伝送制御処理を行うためのものである。
【００３０】
ローカルエリアネットワークインターフェース回路１２は、このネットワークファクシミリ装置をローカルエリアネットワークに接続するためのものであり、ローカルエリアネットワーク伝送制御部１３は、ローカルエリアネットワークおよびインターネットを介して、他のデータ端末装置との間で種々のデータをやりとりするための所定のプロトコルスイートの通信制御処理を実行するためのものである。
【００３１】
これらの、システム制御部１、システムメモリ２、パラメータメモリ３、時計回路４、スキャナ５、プロッタ６、操作表示部７、符号化復号化部８、画像蓄積装置９、ＩＳＤＮインターフェース回路１０、ＩＳＤＮ伝送制御部１１、および、ローカルエリアネットワーク伝送制御部１３は、内部バス１４に接続されており、これらの各要素間でのデータのやりとりは、主としてこの内部バス１４を介して行われている。
【００３２】
また、ＩＳＤＮ伝送制御部１１とＩＳＤＮインターフェース回路１０との間のデータのやりとりは、直接行なわれている。
【００３３】
以上の構成で、本実施例では、ファクシミリ装置ＦＸ１がファクシミリ装置ＦＸ２へ画情報を送信する際、ファクシミリ装置ＦＸ１は、ネットワークファクシミリ装置ＦＩ１に対し、中継依頼ための画情報送信動作を行う。
【００３４】
その際に、ファクシミリ装置ＦＸ１は、所定の呼設定手順信号の所定の情報要素を用いて、インターネットＩＮＥＴ上での中継局となるネットワークファクシミリ装置ＦＩ２のメールアドレスと、最終宛先となるファクシミリ装置ＦＸ２の電話番号を、中継依頼送信の受付局となるネットワークファクシミリ装置ＦＸ１へ通知する。
【００３５】
ネットワークファクシミリ装置ＦＸ１は、このような中継依頼送信の画情報を受信すると、指定された中継局であるネットワークファクシミリ装置ＦＸ２に対して、電子メールを用い、画情報、最終宛先の電話番号、および、送信結果の通知を受ける宛先を指定する送達確認宛先（この場合には、ファクシミリ装置ＦＩ１またはネットワークファクシミリ装置ＦＸ１）を送信する。
【００３６】
このような電子メールを受信したネットワークファクシミリ装置ＦＸ２は、指定された最終宛先であるファクシミリ装置ＦＸ２へ発呼して、電子メールに含まれる画情報をそのファクシミリ装置ＦＸ２へと送信する。また、そのときの送信結果を通知するレポート画像を作成し、送達確認宛先に対してそのレポート画像を送信する。
【００３７】
このようにして、本実施例では、ファクシミリ装置ＦＸ１がネットワークファクシミリ装置ＦＩ１に対して中継依頼ための画情報送信動作を行う際、所定の呼設定手順信号の所定の情報要素を用いて、インターネットＩＮＥＴ上での中継局となるネットワークファクシミリ装置ＦＩ２のメールアドレスと、最終宛先となるファクシミリ装置ＦＸ２の電話番号を、中継依頼送信の受付局となるネットワークファクシミリ装置ＦＸ１へ通知するので、中継送信に必要な情報を適切に通知することができる。
【００３８】
図３は、デジタル公衆網ＩＳＤＮを介し、ファクシミリ装置ＦＸ１がネットワークファクシミリ装置ＦＩ１に対して中継依頼ための画情報送信動作を行う際の伝送手順の一例を示している。
【００３９】
まず、送信（発呼）側は、目的の受信（着呼）側を宛先に指定した呼設定メッセージＳＥＴＵＰをＩＳＤＮに送出して受信側との呼設定を要求し、これにより、ＩＳＤＮは、指定された受信側に呼設定メッセージＳＥＴＵＰを送出して発呼する。
【００４０】
受信側は、着信応答すると応答メッセージＣＯＮＮをＩＳＤＮに送出し、それにより、送信側と受信側の間にデータ伝送のための情報チャネル（Ｂチャネル）が確立し、これにより、送信側および受信側は、Ｂチャネル上の伝送手順を開始する。
【００４１】
まず、送信側は、コマンドＳＡＢＭを送出してリンクレイヤの設定を要求し、それにより、受信側はレスポンスＵＡを応答し、これによって、リンクレイヤが設定される。
【００４２】
次いで、送信側は、ネットワークレイヤをエンド・ツ・エンドで張るために、信号ＳＱを送出し、受信側は、それを受け付けるために信号ＳＦを送出し、次いで、送信側は、発呼要求のために信号ＣＲ／ＣＮを送出し、受信側は、信号ＣＡ／ＣＣを応答して呼を受け付け、それにより、ネットワークレイヤが設定される。
【００４３】
次いで、送信側は、トランスポートレイヤを設定するために、信号ＴＣＲを送出し、受信側は、それを受け付けるために信号ＴＣＡを送出し、それによって、トランスポートレイヤが設定される。
【００４４】
そして、送信側は、セッションレイヤのコネクションを設定するために、セッション開始コマンドＣＳＳを送出し、受信側は、セッション開始肯定レスポンスＲＳＳＰを応答して、それにより、セッションレイヤが開始される。
【００４５】
次に、送信側は、使用する伝送機能のネゴシエーションするためにドキュメント機能リストコマンドＣＤＣＬを送出し、また、受信側は、ドキュメント機能リスト肯定レスポンスＲＤＣＬＰを送出し、それによって、受信能力の調整が行われる。
【００４６】
このようにして、画情報送信の準備が整うと、送信側は、送信する文書を区別するためのドキュメント参照番号など送信する文書情報を管理するための種々の情報を備えたドキュメント開始コマンドＣＤＳに続いて、１つ以上のドキュメントユーザ情報コマンドＣＤＵＩを用いて１文書分の画情報を送信し、その送信を終了すると、ドキュメント終了コマンドＣＤＥを送出して、１文書の画情報の終了を通知する。なお、１文書中に複数のページが含まれる場合には、最終ページを除き、各ページの画情報の送信を終了した時点で、送信側は、１ページ終了をあらわすドキュメントページ境界コマンドＣＤＰＢを送出し、受信側は、このときの１ページ分の画情報の正常受信したことをあらわすドキュメントページ境界肯定レスポンスＲＤＰＢＰを送出する。
【００４７】
そして、受信側は、ドキュメント終了コマンドＣＤＥを受信すると、文書の受信が正常終了したことをあらわすドキュメント終了肯定レスポンスＲＤＥＰを送出する。
【００４８】
このようにして、１文書分の画情報伝送を終了すると、送信側は、セッション終了コマンドＣＳＥを送出し、受信側はセッション終了肯定レスポンスＲＳＥＰを送出して、セッションレイヤのコネクションを解放する。
【００４９】
次いで、送信側は、ネットワークレイヤの信号ＣＱを送出し、それに対して受信側は、信号ＣＦを送出し、それによって、ネットワークレイヤが解放され、さらに、送信側は、リンクレイヤのコマンドＤＩＳＣを送出し、受信側は、レスポンスＵＡを送出し、それによって、リンクレイヤが解放される。
【００５０】
このようにして、Ｂチャネル上のリンク（呼）が解放されると、送信側は、切断メッセージＤＩＳＣをＩＳＤＮに送出して情報チャネルの解放を要求し、それ以降、所定の呼解放手順が実行されて、送信側と受信側との間に設定されていた情報チャネルが解放される。
【００５１】
このようにして、送信側と受信側との間に情報チャネルが設定されて、データ伝送が行われ、データ伝送が終了すると、情報チャネルが解放される。
【００５２】
一方、着呼側であるネットワークファクシミリ装置が、発呼側であるファクシミリ装置から通知された中継送信に関する宛先情報が、あらかじめ定められた条件から逸脱しているときには、図４に示すような手順で、そのときの呼設定を拒否して、中継送信のためのファクシミリ通信動作を行わない。また、ネットワークファクシミリ装置は、ファクシミリ装置に対して、呼設定の拒否の理由を通知して、ファクシミリ装置側でその原因を表示できるようにしている。
【００５３】
すなわち、この場合には、着呼側は、呼設定メッセージＳＥＴＵＰに応答する信号として、切断メッセージＤＩＳＣを送出し、それ以降は、呼解放手順が実行されて、呼設定手順は実行されない。
【００５４】
このようにして、本実施例では、無駄な中継依頼のための送信動作を行わないようにしているので、発呼側に無駄な課金がされるような事態を回避することができる。また、拒否原因をファクシミリ装置側のユーザが調べることにより、ユーザは、再度の通信拒否が起こらないように対処することができ、通信の確実性を高めることもできる。
【００５５】
ここで、ＩＳＤＮの呼設定用のおのおののメッセージについて説明する。
【００５６】
このメッセージは、図５（ａ）に示すように、レイヤ３呼制御メッセージを規定するプロトコル仕様（フォーマット、シーケンスなど）を識別するためのプロトコル識別子、そのメッセージがどの呼に関与するものであるかを識別するための呼番号、それぞれのメッセージの内容を識別するためのメッセージタイプ、おのおののメッセージに必ず付加される必須情報要素、および、おのおののメッセージに必要に応じて付加される付加情報要素からなる。なお、必須情報要素は、メッセージタイプに応じて０，１または複数個が設定されており、付加情報要素は、その状況に応じて０，１または複数個が配置される。
【００５７】
呼設定メッセージＳＥＴＵＰは、同図（ｂ）に示すように、必須情報要素として「伝達能力」をもち、付加情報要素としては、例えば、「発番号」、「発サブアドレス」、「着番号」、「着サブアドレス」、「低位レイヤ整合性」、「高位レイヤ整合性」、および、「ユーザ・ユーザ」などの情報要素をもつことができる。
【００５８】
また、切断メッセージＤＩＳＣは、付加情報要素として「ユーザ・ユーザ」情報要素をもつことができる。
【００５９】
これらの情報要素の概略について説明する。
【００６０】
「伝達能力」情報要素は、伝送する情報の内容が、音声、非制限デジタル情報、制限デジタル情報、３．１ＫＨｚオーディオ、７ＫＨｚオーディオ、あるいは、ビデオのいずれかであるのかを示す情報転送能力、使用する交換機能が回線交換であるのかパケット交換であるのかを示す転送モード、情報転送の速度をあらわす情報転送速度、情報の転送形態をあらわす情報、および、ユーザ情報のプロトコルをあらわす情報などからなる。
【００６１】
「発番号」情報要素は、発端末のＩＳＤＮ番号をあらわし、「発サブアドレス」情報要素は、通常は、発側で自端末に付与されているサブアドレスを表示するためのものであるが、他の用途にも適用できる。また、「着番号」情報要素は、着端末のＩＳＤＮ番号をあらわし、「着サブアドレス」情報要素（最大２３オクテット）は、通常は、着側で同一の宅内配線に接続される８つまでの端末のうちの目的のものを識別するためのものであるが、他の用途にも適用できる。
【００６２】
「低位レイヤ整合性」情報要素は、相手端末との通信可能性検査に使用されるためのものであり、基本的な内容は「伝達能力」情報要素と同一である。さらに、この「低位レイヤ整合性」情報要素には、より細かい内容が含まれる。
【００６３】
「高位レイヤ整合性」情報要素は、相手端末との整合性検査に使用するためのものであり、例えば、電話、グループ２／グループ３ファクシミリ、グループ４ファクシミリ、ミクストモード、テレテックス、ビデオテックス、テレックス、オーディオ・ビジュアル、あるいは、メッセージ・ハンドリング・システムなどの端末機能のうち、いずれの端末機能を備えているのかを表示する。
【００６４】
「ユーザ・ユーザ」情報要素は（最大１３１オクテット）、ユーザ間の情報の伝達に用いるためのものであり、この「ユーザ・ユーザ」情報要素の内容は、ＩＳＤＮによって解釈されることなくトランスペアレントに転送されて相手ユーザに伝達される。
【００６５】
本実施例では、呼設定メッセージＳＥＴＵＰにおける「ユーザ・ユーザ」情報要素に、図６に示すように、中継送信のための宛先情報を含ませ、また、呼設定を拒否する際に送出される切断メッセージＤＩＳＣの「ユーザ・ユーザ」情報要素に、図７に示すように、宛先の無効理由を表示する情報を含ませる。
【００６６】
ここで、図６の情報は、中継宛先１には、デジタル伝送網からＩＳＤＮインターネットＩＮＥＴへの中継局であり、中継依頼送信の受付局であるネットワークファクシミリ装置ＦＸ１の電話番号が配置され、中継宛先２には、インターネットＩＮＥＴからデジタル伝送網ＩＳＤＮへの中継局であるネットワークファクシミリ装置ＦＸ２のメールアドレスが配置され、最終宛先には、宛先であるファクシミリ装置ＦＩ２の電話番号が配置され、送達確認宛先アドレスには、中継依頼元であるファクシミリ装置ＦＩ１の電話番号が配置される。
【００６７】
また、図７の情報は、中継宛先２には、インターネットＩＮＥＴからデジタル伝送網ＩＳＤＮへの中継局であるネットワークファクシミリ装置ＦＸ２のメールアドレスが配置され、無効理由１には、中継宛先２のアドレスが無効である理由（例えば、「サービス圏外のアドレス」、「セキュリティ上不可」など。）が配置され、最終宛先には、宛先であるファクシミリ装置ＦＩ２の電話番号が配置され、無効理由２には、最終宛先の電話番号が無効である理由（例えば、「登録されていない国」など。）が配置される。
【００６８】
図８は、ネットワークファクシミリ装置ＦＸ１からネットワークファクシミリ装置ＦＸ２へ、中継送信依頼をする際に用いられる電子メールの一例を示している。この電子メールは、第１パートに最終宛先の電話番号と、送達確認宛先アドレスの電話番号を配置し、第２パートに画情報を配置してなるマルチパートＭＩＭＥ（後述）形式のものである。
【００６９】
電子メールは、基本的に、ヘッダ情報と本文情報からなり、そのヘッダ情報は、基本的には、送信日時情報をセットする「Ｄａｔｅ」フィールド、電子メールの識別のためのメッセージ識別情報がセットされる「Ｍｅｓｓａｇｅ−ＩＤ」フィールド、発信者を表示するための「Ｆｒｏｍ」フィールド、宛先アドレスを表示するための「Ｔｏ」フィールド、および、本文の表題などを表示するために用いられる「Ｓｕｂｊｅｃｔ」フィールドからなる。この場合、「Ｓｕｂｊｅｃｔ」フィールドには、転送依頼をあらわす文字列「ｍｅｓｓａｇｅ  ｔｒａｎｓｆｅｒ」が配置されている。
【００７０】
また、電子メールの本文情報は、基本的には、７ビットコードの可読情報でなければならないという制限があるが、この場合に送信しようとする画情報は、バイナリデータであるので直接送信することができない。そこで、本実施例では、図示のように、マルチパートＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ（多目的メール）；ＲＦＣ１５２１，ＲＦＣ１５２２）形式の情報に変換する。
【００７１】
したがって、この場合のヘッダ情報には、この本文情報がＭＩＭＥ形式であることを表示する「ＭＩＭＥ−Ｖｅｒｓｉｏｎ」フィールド、「Ｃｏｎｔｅｎｔ−Ｔｙｐｅ」フィールド、および、「ｂｏｕｎｄａｒｙ」フィールドも配置される。ここで、「Ｃｏｎｔｅｎｔ−Ｔｙｐｅ」フィールドの値には、この電子メールの本文情報がマルチパートＭＩＭＥ形式であり、かつ、各コンテンツパートが異なるタイプであることをあらわす「ｍｕｌｔｉｐａｒｔ／ｍｉｘｅｄ」が配置される。また、「ｂｏｕｎｄａｒｙ」フィールドで指定される文字列が、各パートを区切る境界として用いられる。
【００７２】
図９、図１０、および、図１１は、本実施例にかかり、ネットワークファクシミリ装置が実行する処理の概略を示している。
【００７３】
まず、ネットワークファクシミリ装置は、電子メールを受信するか、デジタル公衆網ＩＳＤＮから着信検出するか、あるいは、ユーザが何らかの操作をすることを監視している（判断１０１，１０２，１０３のＮＯループ）。ユーザが何らかの操作をした場合で、判断１０３の結果がＹＥＳになるときには、その操作に対応した処理を実行し（処理１０４）、判断１０１へ戻る。
【００７４】
また、電子メールを受信した場合で、判断１０１の結果がＹＥＳになるときには、その受信した電子メールのヘッダ情報を調べ、中継依頼のものであるかどうかを調べる（判断１０５）。受信した電子メールが中継依頼のものではなく、判断１０５の結果がＮＯになるときには、ＭＩＭＥ形式の電子メールの本文情報を元の画情報へ変換して（処理１０６）、その画情報の画像を記録出力し（処理１０７）、判断１０１へ戻る。
【００７５】
また、デジタル公衆網ＩＳＤＮから着信検出し、判断１０２の結果がＹＥＳになるときには、受信した呼設定メッセージＳＥＴＵＰに「ユーザ・ユーザ情報」情報要素が付加されているかどうかを調べる（判断１１０）。
【００７６】
受信した呼設定メッセージＳＥＴＵＰに「ユーザ・ユーザ情報」情報要素が付加されている場合で、判断１１０の結果がＹＥＳになるときには、「ユーザ・ユーザ情報」情報要素の「中継宛先２」と「最終宛先」の値が、それぞれあらかじめ定められた値を持つものであるか否かを検査する（処理１１１）。例えば、中継宛先２の場合には、指定されたメールアドレスが、適切なネットワークファクシミリ装置をあらわしている場合には検査結果がＯＫとなり、それ以外の場合には、不正なアクセスとして処理される。また、最終宛先の場合には、指定された電話番号がサービス圏外の地域、例えば、サービス圏に含まれない国情報が付加されているような場合に、エラーとして処理される。
【００７７】
処理１１１の検査結果でＯＫが出た場合には（判断１１２の結果がＹＥＳ）、それ以降の呼設定手順を実行して（処理１１３）、情報チャネルを確立し（処理１１４）、その確立した情報チャネル上で所定のグループ４ファクシミリ受信手順を実行して画情報を受信して蓄積し（処理１１５）、その画情報受信を終了すると情報チャネルを終了し（処理１１６）、所定の呼解放手順を実行する（処理１１７）。
【００７８】
次いで、上述したような中継依頼電子メールの本文情報を作成し（処理１１８）、ヘッダ情報を作成して中継依頼電子メールを作成し（処理１１９）、その中継依頼電子メールを送信して（処理１２０）、判断１０１へと戻る。
【００７９】
一方、処理１１１の検査結果でＯＫと判断されなかった場合には（判断１１２の結果がＮＯ）、上述したような中継宛先２および最終宛先について無効理由をセットした「ユーザ・ユーザ情報」情報要素を有する切断メッセージＤＩＳＣを作成して送出し（処理１２１）、解放メッセージＲＥＬを受信し（処理１２２）、解放完了メッセージＲＥＬ＿ＣＯＭＰを送出して（処理１２３）、判断１０１へ戻る。
【００８０】
また、受信した呼設定メッセージＳＥＴＵＰに「ユーザ・ユーザ情報」情報要素が付加されていない場合で、判断１１０の結果がＮＯになるときには、それ以降の呼設定手順を実行して（処理１２５）、情報チャネルを確立し（処理１２６）、その確立した情報チャネル上で所定のグループ４ファクシミリ受信手順を実行して画情報を受信して蓄積し（処理１２７）、その画情報受信を終了すると情報チャネルを終了し（処理１２８）、所定の呼解放手順を実行する（処理１２９）。そして、受信した画情報の画像を記録出力すると（処理１３０）、判断１０１へ戻る。
【００８１】
また、受信した電子メールが中継依頼のものであり、判断１０５の結果がＹＥＳになるときには、本文情報より最終宛先を抽出するとともに（処理１３１）、本文情報のＭＩＭＥ情報を画情報を元の画情報へ変換して蓄積する（処理１３２）。
【００８２】
そして、最終宛先へ発呼して（処理１３３）、所定の呼設定手順を実行し（処理１３４）、情報チャネルを確立し（処理１３５）、その確立した情報チャネル上で所定のグループ４ファクシミリ送信手順を実行して蓄積した画情報を送信し（処理１３６）、その画情報送信を終了すると情報チャネルを終了し（処理１３７）、所定の呼解放手順を実行する（処理１３８）。
【００８３】
このようにして、最終宛先への送信動作を終了すると、そのときの送信結果をあらわす送達結果通知レポートを作成し（処理１３９）、その送達結果通知レポートを対応する画情報へ変換して蓄積する（処理１４０）。
【００８４】
そして、送達確認宛先アドレスにセットされている宛先へ発呼し（処理１４１）、所定の呼設定手順を実行し（処理１４２）、情報チャネルを確立し（処理１４３）、その確立した情報チャネル上で所定のグループ４ファクシミリ送信手順を実行して蓄積した画情報を送信し（処理１４４）、その画情報送信を終了すると情報チャネルを終了し（処理１４５）、所定の呼解放手順を実行する（処理１４６）。そして、判断１０１へ戻る。
【００８５】
なお、上述した実施例では、最終宛先として１つのファクシミリ装置を指定しているが、この最終宛先は複数指定することができる。同様に、送達確認宛先アドレスも複数指定することができる。また、その内容もメールアドレスを適用できる。
【００８６】
また、呼設定メッセージＳＥＴＵＰの「ユーザ・ユーザ情報」情報要素を用いて中継宛先に関する情報等を通知しているが、それ以外の呼設定信号を用いることもできる。例えば、切断メッセージＤＩＳＣや解放完了メッセージＲＥＬ＿ＣＯＭＰを用いることができる。
【００８７】
また、上述した実施例では、「ユーザ・ユーザ情報」情報要素を用いて中継宛先に関する情報等を通知しているが、「着サブアドレス」情報要素を用いることもできる。その場合、中継依頼送信の受付局に、インターネットＩＮＥＴからデジタル公衆網ＩＳＤＮの中継局の経路情報テーブル等を備えておき、小さな情報量で必要な情報を通知できるようにすることが好ましい。
【００８８】
また、上述した実施例では、最終宛先としてデジタル公衆網ＩＳＤＮに接続されるグループ４ファクシミリ装置を指定しているが、アナログ公衆網に接続されるグループ３ファクシミリ装置を指定することもできる。
【００８９】
また、上述した実施例では、マルチパートＭＩＭＥ形式の電子メールを用いて中継依頼送信の画情報をインターネットを介して通信しているが、これ以外の他の通信手段を用いることもできる。
【００９０】
【発明の効果】
以上説明したように、本発明によれば、ファクシミリ装置がネットワークファクシミリ装置に対して中継依頼ための画情報送信動作を行う際、所定の呼設定手順信号の所定の情報要素を用いて、インターネット上での中継局となるネットワークファクシミリ装置のメールアドレスと、最終宛先となるファクシミリ装置の電話番号を、中継依頼送信の受付局となるネットワークファクシミリ装置へ通知するので、中継送信に必要な情報を適切に通知することができるという効果を得る。
【００９１】
また、通知された中継宛先情報等の内容が適切でない場合には、その時点で呼設定手順を終了し、無駄な中継依頼のための送信動作を行わないようにしているので、発呼側に無駄な課金がされるような事態を回避することができるという効果も得る。また、拒否原因をファクシミリ装置側のユーザが調べることにより、ユーザは、再度の通信拒否が起こらないように対処することができ、通信の確実性を高めることもできるという効果も得る。
【図面の簡単な説明】
【図１】発明の一実施例にかかる通信システムを示したブロック図。
【図２】ネットワークファクシミリ装置の構成例を示したブロック図。
【図３】デジタル公衆網ＩＳＤＮを介し、ファクシミリ装置ＦＸ１がネットワークファクシミリ装置ＦＩ１に対して中継依頼ための画情報送信動作を行う際の伝送手順の一例を示したタイムチャート。
【図４】呼設定を拒否して、中継送信のためのファクシミリ通信動作を行わない場合の呼制御手順の一例を示したタイムチャート。
【図５】ＩＳＤＮの呼設定用のおのおののメッセージの信号形式を説明するための概略図。
【図６】中継送信のための宛先情報の一例を示した概略図。
【図７】宛先の無効理由を表示する情報の一例を示した概略図。
【図８】ネットワークファクシミリ装置ＦＸ１からネットワークファクシミリ装置ＦＸ２へ、中継送信依頼をする際に用いられる電子メールの一例を示した概略図。
【図９】ネットワークファクシミリ装置が実行する処理の一部を示したフローチャート。
【図１０】ネットワークファクシミリ装置が実行する処理の他の部分を示したフローチャート。
【図１１】ネットワークファクシミリ装置が実行する処理のさらに他の部分を示したフローチャート。
【図１】
0003582630.tif 000002
【図２】
0003582630.tif 000003
【図３】
0003582630.tif 000004
【図４】
0003582630.tif 000005
【図５】
0003582630.tif 000006
【図６】
0003582630.tif 000007
【図７】
0003582630.tif 000008
【図８】
0003582630.tif 000009
【図９】
0003582630.tif 000010
【図１０】
0003582630.tif 000011
【図１１】
0003582630.tif 000012